【手続補正書】
【提出日】平成19年10月23日(2007.10.23)
【手続補正１】
【補正対象書類名】特許請求の範囲
【補正対象項目名】全文
【補正方法】変更
【補正の内容】
【特許請求の範囲】
【請求項１】
インク受容性疎水性ポリマー組成物で被覆された基材を含む印刷可能な物品であって、該インク受容性疎水性ポリマー組成物が少なくとも約０．６の溶剤抵抗分率および少なくとも約３００％の溶剤吸収能を有することを特徴とする印刷可能な物品。
【請求項２】
インク受容性疎水性ポリマー組成物の層で被覆された基材と、非水性溶剤系インクで前記層上に形成された画像とを含む印刷された物品であって、該インク受容性疎水性ポリマー組成物が少なくとも約０．６の溶剤抵抗分率および少なくとも約３００％の溶剤吸収能を有することを特徴とする印刷された物品。
【請求項３】
架橋可能なアミン官能性ポリマーおよび架橋剤を含む組成物で基材を被覆する工程；および
前記被覆された基材を十分な温度に加熱して、架橋したインク受容性疎水性ポリマー層を前記基材上に生じさせる工程、
を含む印刷可能な物品を作製する方法であって、
前記インク受容性疎水性ポリマー層は、少なくとも約０．６の溶剤抵抗分率および少なくとも約３００％の溶剤吸収能を有することを特徴とする方法。
【請求項４】
基材を、架橋可能なアミン官能性ポリマーおよび架橋剤を含む組成物で被覆する工程；
前記被覆された基材を十分な温度に加熱して、架橋したインク受容性疎水性ポリマー層を前記基材上に生じさせる工程；及び
非水性溶剤系インクを塗布することによって、前記架橋したインク受容性疎水性ポリマー層上に画像を形成する工程；
を含む印刷された物品を作製する方法であって、
前記インク受容性疎水性ポリマー層は、少なくとも約０．６の溶剤抵抗分率および少なくとも約３００％の溶剤吸収能を有することを特徴とする方法。
【手続補正２】
【補正対象書類名】明細書
【補正対象項目名】００７６
【補正方法】変更
【補正の内容】
【００７６】
上で作製された被覆されたフィルムはまた、スクリーン印刷用基材としても使用される。該フィルムを、８．５インチ×１１インチ（２２ｃｍ×２８ｃｍ）のサンプルに切断し、実験用縮小シルクスクリーン法でスクリーン印刷する。サンプルの一部は、セリコール（Ｓｅｒｉｃｏｌ）ＴＭ−３１１白色溶剤系インクを用いて印刷し、またサンプルの一部は、セリコール（Ｓｅｒｉｃｏｌ）ＧＳＯ−３１１白色ＵＶ硬化インクを用いて印刷する。溶剤系インクを用いて印刷されたサンプルは、次には、対流式炉内、１５０°Ｆ（６６℃）で３分間乾燥させる。ＵＶ硬化インクを用いて印刷されたサンプルは、４００ワット水銀灯がついたヒュージョン（Ｆｕｓｉｏｎ）ＵＶ硬化チャンバを、分速１００フィート（３０ｍ）で通過させることによって硬化させる。これらの各方法は、テープ接着試験における剥離に抵抗する欠陥のない乾燥したインクを作り出す。
本発明は以下の実施の態様を含むものである。
１．インク受容性疎水性ポリマー組成物で被覆された基材を含む印刷可能な物品であって、該インク受容性疎水性ポリマー組成物が少なくとも約０．６の溶剤抵抗分率および少なくとも約３００％の溶剤吸収能を有することを特徴とする印刷可能な物品。
２．前記インク受容性疎水性ポリマー組成物は、少なくとも約０．６の溶剤抵抗分率および少なくとも約８００％の溶剤吸収能を有することを特徴とする前記１．に記載の印刷可能な物品。
３．前記インク受容性疎水性ポリマー組成物の前記溶剤吸収能は、７日間にわたって、約２５％を超えて低下しないことを特徴とする前記１．に記載の印刷可能な物品。
４．前記インク受容性疎水性ポリマー組成物の前記溶剤吸収能は、７日間にわたって、約１０％を超えて低下しないことを特徴とする前記１．に記載の印刷可能な物品。
５．前記インク受容性疎水性ポリマー組成物は、架橋ポリマーを含むことを特徴とする前記１．に記載の印刷可能な物品。
６．前記インク受容性疎水性ポリマー組成物は、アミン官能性ポリマーを含むことを特徴とする前記５．に記載の組成物。
７．前記インク受容性疎水性ポリマー組成物は、アミン官能性アクリルコポリマーを含むことを特徴とする前記６．に記載の印刷可能な物品。
８．前記基材は、ポリマー、金属、ガラスおよび紙からなる群より選択されることを特徴とする前記１．に記載の印刷可能な物品。
９．前記基材は、ポリマーフィルムを含むことを特徴とする前記１．に記載の印刷可能な物品。
１０．前記基材は、ポリマーシートを含むことを特徴とする前記１．に記載の印刷可能な物品。
１１．前記ポリマーは、ポリエステル、ポリカーボネート、ポリオレフィン、塩化ビニルポリマーおよびフルオロポリマーからなる群より選択されるポリマーを含むことを特徴とする前記８．に記載の印刷可能な物品。
１２．前記ポリマーは、フルオロポリマーを含むことを特徴とする前記８．に記載の印刷可能な物品。
１３．前記フルオロポリマーは、トリフルオロエチレン、ヘキサフルオロプロピレン、モノクロロトリフルオロエチレン、ジクロロジフルオロエチレン、テトラフルオロエチレン、ペルフルオロブチルエチレン、ペルフルオロ（アルキルビニルエーテル）、フッ化ビニリデン、およびフッ化ビニル、のポリマーおよびコポリマー、それらの配合物、並びに前記ポリマーと非フルオロポリマーとの配合物から選択されることを特徴とする前記１２．に記載の印刷可能な物品。
１４．前記フルオロポリマーは、ポリフッ化ビニル、フッ素化されたエチレン／プロピレンコポリマー、エチレン／テトラフルオロエチレンコポリマー、テトラフルオロエチレン／ペルフルオロ（アルキルビニルエーテル）コポリマー、ポリフッ化ビニリデン、およびポリフッ化ビニリデンとアクリルポリマーとの配合物から選択されることを特徴とする前記１２．に記載の印刷可能な物品。
１５．インク受容性疎水性ポリマー組成物の層で被覆された基材と、非水性溶剤系インクで前記層上に形成された画像とを含む印刷された物品であって、該インク受容性疎水性ポリマー組成物が少なくとも約０．６の溶剤抵抗分率および少なくとも約３００％の溶剤吸収能を有することを特徴とする印刷された物品。
１６．前記インク受容性疎水性ポリマー組成物は、少なくとも約０．６の溶剤抵抗分率および少なくとも約８００％の溶剤吸収能を有することを特徴とする前記１５．に記載の印刷された物品。
１７．前記インク受容性疎水性ポリマー組成物の前記溶剤吸収能は、７日間にわたって、約２５％を超えて低下しないことを特徴とする前記１５．に記載の印刷された物品。
１８．前記インク受容性疎水性ポリマー組成物の前記溶剤吸収能は、７日間にわたって、約１０％を超えて低下しないことを特徴とする前記１５．に記載の印刷された物品。
１９．前記基材は、ポリマー、金属、ガラスおよび紙からなる群より選択されることを特徴とする前記１５．に記載の印刷された物品。
２０．前記基材は、ポリマーフィルムを含むことを特徴とする前記１５．に記載の印刷された物品。
２１．前記基材は、ポリマーシートを含むことを特徴とする前記１５．に記載の印刷された物品。
２２．前記ポリマーは、ポリエステル、ポリカーボネート、ポリオレフィン、ポリ塩化ビニルおよびフルオロポリマーからなる群より選択されるポリマーを含むことを特徴とする前記１９．に記載の印刷された物品。
２３．前記ポリマーは、フルオロポリマーを含むことを特徴とする前記１９．に記載の印刷された物品。
２４．前記フルオロポリマーは、トリフルオロエチレン、ヘキサフルオロプロピレン、モノクロロトリフルオロエチレン、ジクロロジフルオロエチレン、テトラフルオロエチレン、ペルフルオロブチルエチレン、ペルフルオロ（アルキルビニルエーテル）、フッ化ビニリデン、およびフッ化ビニルのポリマーおよびコポリマー、それらの配合物、並びに前記ポリマーと非フルオロポリマーとの配合物から選択されることを特徴とする前記２３．に記載の印刷された物品。
２５．前記フルオロポリマーは、ポリフッ化ビニル、フッ素化されたエチレン／プロピレンコポリマー、エチレン／テトラフルオロエチレンコポリマー、テトラフルオロエチレン／ペルフルオロ（アルキルビニルエーテル）コポリマー、ポリフッ化ビニリデン、およびポリフッ化ビニリデンとアクリルポリマーとの配合物から選択されることを特徴とする前記２３．に記載の印刷された物品。
２６．前記画像は、インクジェットプリンターを使用して形成されることを特徴とする前記１５．に記載の印刷された物品。
２７．前記画像は、スクリーンプリンターを使用して形成されることを特徴とする前記１５．に記載の印刷された物品。
２８．架橋可能なアミン官能性ポリマーおよび架橋剤を含む組成物で基材を被覆する工程；および
前記被覆された基材を十分な温度に加熱して、架橋したインク受容性疎水性ポリマー層を前記基材上に生じさせる工程、
を含む印刷可能な物品を作製する方法であって、
前記インク受容性疎水性ポリマー層は、少なくとも約０．６の溶剤抵抗分率および少なくとも約３００％の溶剤吸収能を有することを特徴とする方法。
２９．前記インク受容性疎水性ポリマー組成物の前記溶剤吸収能は、７日間にわたって、約２５％を超えて低下しないことを特徴とする前記２８．に記載の方法。
３０．前記インク受容性疎水性ポリマー組成物の前記溶剤吸収能は、７日間にわたって、約１０％を超えて低下しないことを特徴とする前記２８．に記載の方法。
３１．基材を、架橋可能なアミン官能性ポリマーおよび架橋剤を含む組成物で被覆する工程；
前記被覆された基材を十分な温度に加熱して、架橋したインク受容性疎水性ポリマー層を前記基材上に生じさせる工程；及び
非水性溶剤系インクを塗布することによって、前記架橋したインク受容性疎水性ポリマー層上に画像を形成する工程；
を含む印刷された物品を作製する方法であって、
前記インク受容性疎水性ポリマー層は、少なくとも約０．６の溶剤抵抗分率および少なくとも約３００％の溶剤吸収能を有することを特徴とする方法。
３２．前記インク受容性疎水性ポリマー組成物の前記溶剤吸収能は、７日間にわたって、約２５％を超えて低下しないことを特徴とする前記３１．に記載の方法。
３３．前記インク受容性疎水性ポリマー組成物の前記溶剤吸収能は、７日間にわたって、約１０％を超えて低下しないことを特徴とする前記３２．に記載の方法。